(57)【特許請求の範囲】
【請求項１】
固定部に水平方向に取付けられたガイドレール、
映像を表示する表示部及びこの表示部の反対側に配置され上記ガイドレールに案内されるガイドローラを有するモジュール、
及び面状に配置された複数個のモジュールの各接合面に設けられ、上記モジュール相互間の位置合わせと連結を行う結合装置を備え、
上記ガイドローラは、上記モジュールに設けられた凹部に配置されていることを特徴とする表示装置。
【請求項２】
上記面状に配置された複数個のモジュールの両端に取付けられた保護パネルを備えたことを特徴とする請求項１記載の表示装置。
【請求項３】
上記結合装置の連結構成は、互いに隣接する一方のモジュールの接合面に設けられた固定ロック部と、他方のモジュールの接合面に設けられ上記固定ロック部が挿入される固定ロック受け穴とによって構成されていることを特徴とする請求項１または請求項２記載の表示装置。
【請求項４】
上記固定ロック部は、上記接合面に２箇所または３箇所設けられたことを特徴とする請求項３記載の表示装置。
【請求項５】
上記結合装置の位置合わせ構成は、隣接する一方のモジュールの接合面の少なくとも２箇所に設けられたピン部材と、他方のモジュールの接合面に設けられ上記ピン部材が挿入される穴部とによって構成されていることを特徴とする請求項１〜請求項４のいずれかに記載の表示装置。
【請求項６】
上記モジュールには、上記表示部を制御する制御装置が設置されていることを特徴とする請求項１〜請求項５のいずれかに記載の表示装置。
【請求項７】
上記モジュールは、重さが約６０ｋｇ以下になるように形成されていることを特徴とする請求項１〜請求項６のいずれかに記載の表示装置。
【請求項８】
固定部に水平方向にガイドレールを取付ける第一の手順、
映像を表示する表示部及びこの表示部の反対側に設けられた凹部に配置され上記ガイドレールに案内されるガイドローラを有するモジュールを搬入し、上記ガイドレールに挿入する第二の手順、
上記第二の手順により上記モジュールが上記ガイドレールに挿入された状態で、モジュール間の位置合わせを行い、連結を行う第三の手順、
及び上記第三の手順により順次連結された複数個のモジュールの両端に保護パネルを取付ける第四の手順を含むことを特徴とする表示装置の設置方法。
【発明の詳細な説明】
【技術分野】
【０００１】
この発明は、屋外または屋内に設置され、情報表示するための発光素子が配置された表示装置及びその設置方法に関するものである。
【背景技術】
【０００２】
各種競技場やイベント会場などの屋外または屋内に設置され、競技結果の表示や競技映像などの情報提供を行うための映像を表示する大型表示装置は、一体搬入または複数のブロックに分けて輸送、搬入、据付が行われていた。
特許文献１には、分割された表示ユニットを上下方向に組み立てるために、分割された表示ユニットに取付けられたローラを垂直なレールに当接させて、表示ユニットを吊り上げ移動可能な釣支機構により表示ユニットを上下に移動させ、所定位置で連結具により連結、固定するものが示されている。
【０００３】
【特許文献１】特開２００４−３５４５６９号公報（第４〜８頁、図１）
【発明の開示】
【発明が解決しようとする課題】
【０００４】
大型表示装置の一体搬入は、閉所での搬入、据付が基本的にできなかった。
また、複数のブロックに分割するものにおいては、ブロックの分割は適宜の大きさになるように行われるが、搬入、据付の作業量を減らすためには大きく分割する必要があり、これの搬送には重機の使用が必須となっていた。このため、作業が大掛かりとなり、場所の制約を受けやすいという問題があった。
また、ブロック分割された大型表示装置の据付に当たっては、ブロック分割されているため、現地でのレベル出しに最も作業時間を要し、このレベル出し作業が難しいという問題があった。
特許文献１では、表示ユニット間の連結具による連結、固定することが記載されているものの、レベル出しについての記載がなく、最も作業の困難なレベル出し作業を解決するものではない。また、重い表示ユニットを持ち上げるために釣支機構が必要であり、しかもこの釣支機構が表示部からはみ出しているので、見栄えがよくないという問題があった。
【０００５】
この発明は、上述のような課題を解決するためになされたものであり、重機を使用することなく、設置場所の制約を受け難く、かつ精度のよい据付作業を容易に行うことができる表示装置及びその設置方法を得ることを目的にしている。
【課題を解決するための手段】
【０００６】
この発明に係わる表示装置においては、固定部に水平方向に取付けられたガイドレール、映像を表示する表示部及びこの表示部の反対側に配置されガイドレールに案内されるガイドローラを有するモジュール、及び面状に配置された複数個のモジュールの各接合面に設けられ、モジュール相互間の位置合わせと連結を行う結合装置を備え、ガイドローラは、モジュールに設けられた凹部に配置されているものである。
【発明の効果】
【０００７】
この発明は、以上説明したように、固定部に水平方向に取付けられたガイドレール、映像を表示する表示部及びこの表示部の反対側に配置されガイドレールに案内されるガイドローラを有するモジュール、及び面状に配置された複数個のモジュールの各接合面に設けられ、モジュール相互間の位置合わせと連結を行う結合装置を備え、ガイドローラは、モジュールに設けられた凹部に配置されているので、重機を使わずに表示装置が設置できるため、設置場所の制限を受けにくくなるとともに、モジュール間の精度の高い位置合わせを容易に行うことができ、かつ見栄えを良くすることができる。
【発明を実施するための最良の形態】
【０００８】
実施の形態１．
図１は、この発明の実施の形態１による表示装置を示す概略構成図である。
図１において、表示装置は、横方向に複数の分割モジュール１（モジュール）に分割されている。分割モジュール１は、ＬＥＤなどの発光素子が配置された複数の表示部２と、この表示部２を取付けたケーシング３により構成されている。この分割モジュール１は、２人程度の人力で運べる重さ、約５０〜６０ｋｇ以内の重さになるように分割されるとともに、配線数の低減が可能な制御単位すなわち、分割モジュール１個に制御装置１台が対応するように分割されている。つまり、おおよその分割モジュールの目安は、狭ピッチの場合には、横６４〜１２８画素程度で、かつ縦２５６〜５１２画素程度であり、広ピッチの場合には、横３２〜６４画素程度で、かつ縦１２８〜２５６画素程度である。
このように分割モジュールは、縦方向の画素数が、横方向の画素数より多くなるように分割される、縦長の形状を有している。
【０００９】
ケーシング３の隣接される分割モジュールと連結される一側面（接合面）には、結合装置として、固定ロック部３１と位置決めピンであるポジショナーピン３２（ピン部材）が設けられ、他の側面には、固定ロック受け穴３３と、ポジショナー受け穴３４（穴部）が設けられている。固定ロック部３１は固定ロック受け穴３３に挿入されて、反対側の面の固定ロック受け穴３３から差し込まれた連結用工具５により、回転され、ロックされる。
また、ケーシング３の背面には、上下にガイドローラ３５が回転自在に設けられ、ガイドローラ３５はガイドレール４に装着されて、分割モジュール１がガイドレール４に沿って移動するようになっている。
なお、結合装置の位置合わせ構成である、ポジショナーピン３２（ピン部材）及びポジシャナー受け穴３４（穴部）は、分割モジュール１の側面に２箇所程度設けるのが適当であり、これは分割モジュール間の前後方向のレベル出し（位置合わせ）を行うような精度を持たせている。
また、結合装置の連結構成である、固定ロック部３１及び固定ロック受け穴３３は、分割モジュール１の側面に上、中、下の３箇所または上、下の２箇所程度に設けるのが適当である。
【００１０】
図２は、この発明の実施の形態１による表示装置とガイドレールとの係合を示す拡大断面図であり、図２（ａ）はガイドレールがケーシングの外側に配置された図、図２（ｂ）はガイドレールをケーシング内に設けて見栄えをよくした図である。
図２において、１〜４、３５は図１におけるものと同一のものである。図２（ｂ）で、ケーシング３にはガイドレール４を隠すための凹部６が設けられている。ガイドローラ３５はガイドレール４に挿入されている状態である。
【００１１】
図３は、この発明の実施の形態１による表示装置の設置方法の作業手順を示す図である。
【００１２】
図４は、この発明の実施の形態１による表示装置のガイドレールの取付け及び分割モジュールの挿入方法を示す説明図である。
図４において、１〜４は図１におけるものと同一のものである。ガイドレール４は固定ボルト４１により壁面等に取付けられる。汎用物流ケース７は、複数の分割モジュール１を運べるようになっている。
【００１３】
図５は、この発明の実施の形態１による表示装置の分割モジュール間の連結方法を示す説明図である。
図５において、１〜５、３３、３４は図１におけるものと同一のものである。
【００１４】
図６は、この発明の実施の形態１による表示装置の両サイドの目隠し兼保護パネルの取り付け方法を示す説明図である。
図６において、１〜４は図１におけるものと同一のものである。目隠し兼保護パネル８は表示装置の両サイドに、ガイドレール４を隠すように取付けられる。
【００１５】
次に、表示装置の設置方法について図３〜図６に基づき説明する。
この発明の表示装置は、図３の作業手順により設置される。
まず、壁面または自立架台鉄骨等（固定部）へガイドレール４を水平方向に取付ける（Ｓ１、第一の手順）。次いで、表示装置の分割モジュール１を汎用物流ケース７に載せて搬入し、ガイドレール横から順次、分割モジュール１を挿入する（Ｓ２、第二の手順）。次いで、ガイドレールに挿入された分割モジュール間の位置合わせを行い、連結する（Ｓ３、第三の手順）。最後に、すべて連結された分割モジュールの両サイドに、目隠し兼保護パネル８を取付けて完成させる（Ｓ４、第四の手順）。
【００１６】
以下、各手順についてさらに詳しく説明する。
図４に示されるように、Ｓ１では、固定ボルト４１によりガイドレール４を垂直な壁面または自立架台鉄骨等へ、ガイドレール４が水平になるように取り付ける。次いで、Ｓ２で、汎用物流ケース７に積載して複数の分割モジュール１を搬入し、ガイドレール４の横からガイドローラを嵌め込むようにして分割モジュール１を順次、挿入する。図４のように分割モジュール１を立てて汎用物流ケース７に積載することで、輸送時はコンパクトに輸送することが可能である。汎用物流ケース７は、カゴ台車等でもよい。
【００１７】
次いで、図５に示されるように、Ｓ３では、ガイドレール４に挿入された分割モジュール間を連結する。分割モジュール１のガイドレール４への挿入後は、ガイドレール４が分割モジュール１の荷重を支持し、かつガイドローラ３５によって分割モジュール１は容易に移動できるため、人手への荷重負担が少なく、連結作業を大変楽に行うことができる。
また、このとき、分割モジュール間のレベル出し作業が必要になるが、本発明では、連結される面に設けられたポジショナーピン３２とポジショナー受け穴３４を勘合させながら、固定ロック部３１を固定ロック受け穴３３に挿入し、固定ロック部３１を有する分割モジュール１の反対側の面に設けられた固定ロック受け穴３３から連結用工具５を差込み、回転させてロックする。つまり、外部から連結作業が可能になっている。
このように、ポジショナーピン３２とポジショナー受け穴３４を勘合させることにより、前後方向のレベル出しを容易に行うことができる。
これらにより、従来、困難で作業時間を要していたレベル出しを簡単に行うことができるようになる。
【００１８】
最後に、図６に示されるように、Ｓ４では、すべて連結された分割モジュール１によって構成された表示装置の両サイドに目隠し兼保護パネル８を取付けて完成させる。これによって、発光素子が配置された前面からはガイドレール４や、連結するための部品が見えないようになる。
【００１９】
実施の形態１によれば、搬入路が狭い場所への表示装置の設置が可能となり、また、重機を使わずに表示装置を設置できるため、設置場所の制限を受けにくくなる。
また、分割モジュールで搬送されるため、物流容積を小さくすることが可能である。
また、分割モジュール間の精度の高いレベル出しを行うことができる。
さらに、設置に要する部品を前面からは見えないようにするため、見栄えのよい表示装置にすることができる。
【００２０】
実施の形態２．
図７は、この発明の実施の形態２による表示装置を示す外観図である。
図７において、１〜４は図１におけるものと同一のものである。図７はガイドレール４を長くし、超横長スクリーンを構成したものである。
【００２１】
実施の形態２は、ガイドレール４を長くし、超横長スクリーンを構成するものであり、このため、分割モジュール１を大きく形成し、これをガイドレール４により連結するようにしている。
この場合の分割モジュール１は、配線数が低減できる１制御単位に形成する。すなわち、分割モジュール１ごとに制御装置を配置して、表示のための制御を行うようにする。このときの分割モジュールは、例えば、縦、３２〜６４画素程度、横、６４〜１２８画素程度の大きさになる。すなわち、分割モジュールは、実施の形態１のように縦長形状を有する必要がない。
また、据付け用重機が使える場所では、重量の制限はない。また、据付け用重機が使えない場所では、実施の形態１と同様に、２人程度の人力で運べる重さである、約５０〜６０ｋｇ以内とする。
また、分割モジュール１は１種類の大きさに形成する必要はなく、多種類の大きさのものが混在するようにしてもよい。
【００２２】
実施の形態２によれば、レベル出し作業を簡単化しながら、超横長スクリーンの表示装置を構成することができる。
【図面の簡単な説明】
【００２３】
【図１】この発明の実施の形態１による表示装置を示す概略構成図である。
【図２】この発明の実施の形態１による表示装置とガイドレールとの係合を示す拡大断面図である。
【図３】この発明の実施の形態１による表示装置の設置方法の作業手順を示す図である。
【図４】この発明の実施の形態１による表示装置のガイドレールの取付け及び分割モジュールの挿入方法を示す説明図である。
【図５】この発明の実施の形態１による表示装置の分割モジュール間の連結方法を示す説明図である。
【図６】この発明の実施の形態１による表示装置の両サイドの目隠し兼保護パネルの取り付け方法を示す説明図である。
【図７】この発明の実施の形態２による表示装置を示す外観図である。
【符号の説明】
【００２４】
１  分割モジュール
２  表示部
３  ケーシング
４  ガイドレール
５  連結用工具
６  凹部
７  汎用物流ケース
８  目隠し兼保護パネル
３１  固定ロック部
３２  ポジショナーピン
３３  固定ロック受け穴
３４  ポジショナー受け穴
３５  ガイドローラ
４１  固定ボルト
【図１】
0005161627.tif 000002
【図２】
0005161627.tif 000003
【図３】
0005161627.tif 000004
【図４】
0005161627.tif 000005
【図５】
0005161627.tif 000006
【図６】
0005161627.tif 000007
【図７】
0005161627.tif 000008